(57)【要約】【課題】  組み立て前にボルトを板材内に装着したまま板材の搬送ができしかも搬送時にボルトが飛び出して邪魔になるのを防止できる家具及び家具用板材固定具を提供する。【解決手段】  本発明の家具１において、固定具（家具用板材固定具）７は他方の板材の中空内に配置したボルトケース１３とボルト１１とで構成してあり、ボルト１１はボルトケース１３内に位置しボルトケース１３の開口部３７から操作する回転操作部２１と、他方の板材の端面５ａから突出退避自在であり且つ雌ネジ孔９に捩じ込む雄ネジ部２３と、突出時抜け止め部２７と、退避時抜け止め部２９とを有し、突出時抜け止め部２７は雄ネジ部２３の突出状態においてボルトケース１３に係止してボルトケース１３からの抜けを防止し、退避時抜け止め部２７は雄ネジ部２３の退避状態においてボルトケース１３に係止してボルトケース１３からの抜けを防止している。【選択図】      図１
2005155860.tif 000002
【特許請求の範囲】
【請求項１】
中空状の一方の板材と、一方の板材の側面に端面を当接する中空状の他方の板材と、他方の板材の中空部に取り付けた固定具とを備え、一方の板材は雌ネジ孔を側面に有し、他方の板材は開口部を側面に有し、固定具はボルトケースとボルトとで構成してあり、ボルトケースは他方の板材の開口部に連通する開口部を有し、ボルトはボルトケース内に位置しボルトケースの開口部から操作する回転操作部と、他方の板材の端面から突出退避自在であり且つ雌ネジ孔に捩じ込む雄ネジ部と、突出時抜け止め部と、退避時抜け止め部とを有し、突出時抜け止め部は雄ネジ部の突出状態においてボルトケースに係止してボルトケースからの抜けを防止し、退避時抜け止め部は雄ネジ部の退避状態においてボルトケースに係止してボルトケースからの抜けを防止していることを特徴とする家具。
【請求項２】
一方の板材と一方の板材の側面に端面を当接する他方の板材とを固定するために他方の板材の内部に取り付けるものであり、ボルトケースと、ボルトとを備え、ボルトケースは他方の板材の側面に設けた開口部に連通する開口部を有し、ボルトはボルトケース内に位置しボルトケースの開口部から操作する回転操作部と、他方の板材の端面から突出退避自在であり且つ一方の板材の側面に設けた雌ネジ孔に捩じ込む雄ネジ部と、突出時抜け止め部と、退避時抜け止め部とを有し、突出時抜け止め部は雄ネジ部の突出状態においてボルトケースに係止してボルトケースからの抜けを防止し、退避時抜け止め部は雄ネジ部の退避状態においてボルトケースに係止してボルトケースからの抜けを防止することを特徴とする家具用板材固定具。
【発明の詳細な説明】
【技術分野】
【０００１】
本発明は、棚等の家具及び家具用板材固定具に関する。
【背景技術】
【０００２】
特許文献１には、他方の板材の側面に形成した開口部にボルトケースを埋め込んでおき、一方の板材の側面に雌ネジ孔を設けておき、組み立て時にボルトをボルトケースに取り付けて、ボルトケースに設けた回転操作部の操作により、雌ネジ孔にボルトを螺合して一方の板材と他方の板材とを接合する技術が開示されている。
特許文献２には、一方の板材の側面に雌ネジ孔を設け、他方の板材端面に形成した開口部にボルトを挿入し、ボルトの端に固定した回転操作部を板材側面に形成した開口部から操作して、雌ネジ孔にボルトを螺合することにより一方の板材と他方の板材とを接合する技術が開示されている。
【０００３】
【特許文献１】特開２０００−１３０４１４号公報
【特許文献２】実開平６−２４２１８号公報
【発明の開示】
【発明が解決しようとする課題】
【０００４】
しかし、特許文献１に記載の技術では、家具の組み立て前に他方の板材に装着したボルトケースにボルトを取り付けたまま搬送した場合には、ボルトの雄ネジ部が板材の端面から飛び出たままになるので、梱包や板材の搬送時に邪魔になるという問題がある。
特許文献２に記載の技術を中空の板材に適用し、家具の組み立て前に中空の板材にボルトを装着したまま搬送しようとすれば、他方の板材の中空内に退避時の抜け止め部や突出時の抜け止め部を別途設けないとボルトが中空内を自由に移動してしまい、ボルトを操作位置に留めておくことができないという問題がある。
【０００５】
そこで、本発明は、組み立て前にボルトを板材内に装着したまま板材の搬送ができしかも搬送時にボルトが飛び出して邪魔になるのを防止できる家具及び家具用板材固定具の提供を目的とする。
【課題を解決するための手段】
【０００６】
請求項１に記載の発明は、中空状の一方の板材と、一方の板材の側面に端面を当接する中空状の他方の板材と、他方の板材の中空部に取り付けた固定具とを備え、一方の板材は雌ネジ孔を側面に有し、他方の板材は開口部を側面に有し、固定具はボルトケースとボルトとで構成してあり、ボルトケースは他方の板材の開口部に連通する開口部を有し、ボルトはボルトケース内に位置しボルトケースの開口部から操作する回転操作部と、他方の板材の端面から突出退避自在であり且つ雌ネジ孔に捩じ込む雄ネジ部と、突出時抜け止め部と、退避時抜け止め部とを有し、突出時抜け止め部は雄ネジ部の突出状態においてボルトケースに係止してボルトケースからの抜けを防止し、退避時抜け止め部は雄ネジ部の退避状態においてボルトケースに係止してボルトケースからの抜けを防止していることを特徴とする。
【０００７】
請求項２に記載の発明は、一方の板材と一方の板材の側面に端面を当接する他方の板材とを固定するために他方の板材の内部に取り付けるものであり、ボルトケースと、ボルトとを備え、ボルトケースは他方の板材の側面に設けた開口部に連通する開口部を有し、ボルトはボルトケース内に位置しボルトケースの開口部から操作する回転操作部と、他方の板材の端面から突出退避自在であり且つ一方の板材の側面に設けた雌ネジ孔に捩じ込む雄ネジ部と、突出時抜け止め部と、退避時抜け止め部とを有し、突出時抜け止め部は雄ネジ部の突出状態においてボルトケースに係止してボルトケースからの抜けを防止し、退避時抜け止め部は雄ネジ部の退避状態においてボルトケースに係止してボルトケースからの抜けを防止することを特徴とする。
【発明の効果】
【０００８】
請求項１及び２に記載の発明によれば、家具の組み立て前に、板材の内部にボルトケースとボルト（固定具）を装着したまま板材を搬送する場合、ボルトの雄ネジ部を他方の板材の端面から退避した位置で退避時抜け止め部がボルトの抜けを防止しているので、ボルトの雄ネジ部を退避位置にして搬送でき、しかも搬送時に板材からボルトが飛び出して邪魔になるのを防止できる。
【発明を実施するための最良の形態】
【０００９】
以下に、添付図面を参照して本発明の実施の形態を説明する。図１は本発明の実施の形態にかかる家具における板材の接合部を示す図であり、（ａ）は図２のＡ―Ａ断面図であり、（ｂ）は（ａ）のＢ―Ｂ断面図であり、（ｃ）は（ａ）のＣ―Ｃ断面図であり、図２はボルトケースの図であり、（ａ）は正面図であり、（ｂ）は平面図、（ｃ）は（ａ）のＥ―Ｅ断面図であり、図３は一方の板材と他方の板材との接合操作を示す斜視図であり、図４は本実施の形態にかかる家具の斜視図である。
本実施の形態にかかる家具１は組み立て式の棚であり、中空状の一方の板材３と、中空状の他方の板材５と、固定具（家具用板材固定具）７とを備え、一方の板材３の側面３ａに他方の板材５の端面５ａを接合して組み立てるものである。一方の板材３は棚の底板であり、他方の板材５は側板である。固定具７は他方の板材５の中空１４内に設けてあり、ボルト１１とボルトケース１３とから構成されている。
一方の板材３の側面３ａには、雌ネジ孔９が設けてある。
他方の板材５には、一側面５ｂに開口部１０が設けてあり、端面５ａには固定具７のボルト１１を挿通する開口部１２が形成されており、ボルト１１は端面５ａの開口部１２から中空１４内に挿入してあり、一側面の開口部１０には中空１４内にボルトケース１３が装着されている。
他方の板材５の中空１４内には中空内に突設した突条１５、１９が設けてあり、この突条１５はボルトケース１３の配置部分が切除されている。また、ボルト１１の進退を案内するガイド１６が上下方向に設けてある。
ボルト１１は回転操作部２１と、他方の板材５の端面５ａから突出し退避自在な雄ネジ部２３と、軸部２５と、突出時抜け止め部２７と、退避時抜け止め部２９とを有しており、突出時抜け止め部２７と退出時抜け止め部２９との間に軸部２５が位置している。
回転操作部２１は円柱形状であり、周面に周方向に所定間隔をあけて治具Ｔの操作孔３１が複数形成されている。
操作孔３１は上下２列になって回転操作部２１の周面に形成されており、各列では周方向に４つの操作孔３１が等間隔に形成されているとともに、上下の列の操作孔３１は互い周方向の位置をずらして配列されている。
突出時抜け止め部２７は、回転操作部２１の下端部に設けてあり、ボルトケース１３の係止部３３に設けてある挿通溝３５よりも外径が大きく、ボルトケース１３の係止部３３に上方から当接して、下方への移動が規制されている。
軸部２５は、ボルトケース１３の係止部３３に設けてある挿通溝３５内に配置されている。
退避時抜け止め部２９は係止部３３に設けてある挿通溝３５よりも外径が大きく上方に移動したときに下方から係止部３３に当接して、上方への移動が規制されている。
ボルトケース１３は他方の板材５の中空１４内に設けてある突条１５、１９に嵌合しており、且つ両側部に嵌入したスプリングピン１７が中空内の突条１９に当接して他方の板材の開口部１０からの抜けが阻止されている。また、ボルトケース１３には開口部３７が形成されており、この開口部３７は他方の板材５の側面に形成された開口部１０に連通するとともにボルト１１の回転操作部２１を他方の板材５の側面から露出している。
尚、本実施の形態にかかる家具１は、一方の板材３を底板としているほか、天板も一方の板材３として下面に雌ネジ孔９が形成してあり、また他方の板材５を側板としているほか、棚板も他方の板材５として中空内にボルト１１とボルトケース１３が装着してある。
【００１０】
次に、本実施の形態にかかる家具１の作用効果及び組み立てについて説明する。
他方の板材５への固定具７の取り付けは、他方の板材５の下端に形成してある開口１２からボルト１１を板材の中空１４内に挿入して、側面５ａの開口部１０からボルトケース１３を板材の中空１４内に挿入するとともにボルトの軸部２５をボルトケース１３の挿通溝３５内に配置してボルト１１とボルトケース１３とを他方の板材５の中空１４内に装着する。
ボルトケース１３を他方の板材５に装着するときにはボルトケース１３の側部にスプリングピン１７を嵌入して、スプリングピン１７を縮めて中空内に挿入すると中空内でピン１７が伸びて板材側面の開口部１０の寸法よりも突設するので、ボルトケース１３は開口部１０から抜け落ちるのが防止されている。また、ボルトケース１３は中空内に突設した突条１５、１９と板材側面の開口部１０に嵌合されているので、上下左右への移動が規制されている。
ボルト１１は突出時抜け止め部２７と、退避時抜け止め部２９とを有し、突出時抜け止め部２７はボルトケ−ス１３の係止部３３に上方から当接して下方への移動が規制されており、退避時抜け止め部２９は係止部３３に下方から当接して上方への移動が規制されているので、工場からの出荷時（搬送時）には、他方の板材５の中空内に固定具７を装着したまま梱包できる。
ボルト１１の雄ネジ部２３は他方の板材５の端面５ａよりも突出しない位置（退避状態）にすることができるので、家具１の組み立て前に他方の板材５を搬送するときにボルト１１が板材端面５ａから突出して邪魔になるのを防止できる。
また、ボルトケース１３の係止部３３には突出時抜け止め部２７が当接してボルト１１の下方への移動を規制しているので、ボルト１１がボルトケースから抜け落ちることがない。
尚、搬送時にはボルトケース１３の開口部３７には、キャップ３９をする。
家具１の組み立てにおいて、一方の板材３と他方の板材５との接合は、ボルトケース１３の開口部３７のキャップ３９を外し、一方の板材３の側面３ａに他方の板材５の端面５ａを当接させて、他方の板材５の側面５ａにある開口部１０から露出する回転操作部２１の操作孔３１にドライバ等の治具を挿入し、回転操作する。
回転操作部２１の回転によりボルト１１の下端にある雄ネジ部２３が一方の板材３の雌ネジ部９に捩じ込まれて、一方の板材３と他方の板材５とが接合される。
組み立て時には、ボルト１１の差込作業やボルトケースの装着作業が不要であり、回転操作部を操作するだけであるから、組み立てが簡単である。
一方の板材３と他方の板材５との接合後にボルトケース１３の開口部３７にキャップ３９をする。
【００１１】
本発明は、上述した実施の形態に限らず、本発明の要旨を逸脱しない範囲で種々変形可能である。
例えば、他方の板材の側面に形成するボルトケース１３に形成する開口部３７の形状は限定されず、例えば楕円形状であってもよい。
キャップ３９は無くてもよい。
請求項２に記載の発明は、中空状の板材に取り付けることに限らず、中実の板材に家具用板材固定具を装着する孔をあけて取り付けるものであってもよい。
【図面の簡単な説明】
【００１２】
【図１】本発明の実施の形態にかかる家具における板材の接合部を示す図であり、（ａ）は図２のＡ―Ａ断面図であり、（ｂ）は（ａ）のＢ―Ｂ断面図であり、（ｃ）は（ａ）のＣ―Ｃ断面図である。
【図２】ボルトケースの図であり、（ａ）は正面図であり、（ｂ）は平面図、（ｃ）は（ａ）のＥ―Ｅ断面図である。
【図３】一方の板材と他方の板材との接合部操作を示す斜視図である。
【図４】本実施の形態にかかる家具の斜視図である。
【符号の説明】
【００１３】
１      家具
３      一方の板材
３ａ    側面
５      他方の板材
５ａ    端面
５ｂ    一側面
７      固定具（家具用板材固定具）
９      雌ネジ孔
１０    開口部（側面の開口部）
１１    ボルト
１３    ボルトケース
２１    回転操作部
２３    雄ネジ部
２７    突出時抜け止め部
２９    退避時抜け止め部
３７    開口部（ボルトケースの開口部）
【図１】
2005155860.tif 000003
【図２】
2005155860.tif 000004
【図３】
2005155860.tif 000005
【図４】
2005155860.tif 000006